(57)【要約】      （修正有）【課題】外キャップの螺合または、螺合解除過程で自然にワイドノズルの開閉が行われるワイドノズルを具備したチューブ容器を提供する。【解決手段】ワイドノズル２２０を具備したチューブ容器に関し、内キャップ４００に対して外キャップ３００が回転可能に結合され、外キャップをチューブネックに螺合させる過程で、内キャップが、外キャップによって加圧され、連動して下降することにより、内キャップの開閉突起によるワイドノズルの閉栓が行われるように構成する。【選択図】図１
2018154405.tif 000002
【特許請求の範囲】
【請求項１】
内容物を貯蔵するチューブ本体と、
前記チューブ本体の上部に結合され、チューブ本体に支持され、外周面に第１ねじ山が形成され、横幅の長さが縦幅の長さより長く形成されたワイドノズルを具備するチューブネックと、
前記チューブネックと着脱可能に螺合するように、内周面に第２ねじ山が形成された外キャップと、
前記外キャップの内側に結合され、前記外キャップの脱着により、前記ワイドノズルを開閉するように、内部上側に開閉突起を具備する内キャップと、を含み、
前記外キャップは、前記内キャップに対して回転可能に結合し、前記外キャップを前記チューブネックと螺合させる過程で、前記内キャップが前記外キャップの下降によって加圧され下降することにより、前記内キャップの前記開閉突起による前記ワイドノズルの閉栓が行われる
ことを特徴とするワイドノズルを具備したチューブ容器。
【請求項２】
前記内キャップの外周面には、前記外キャップの独立した回転をガイドするように回転ガイド溝が形成され、前記外キャップの内周面には、前記回転ガイド溝に係合される結合突起を具備する
ことを特徴とする、請求項１に記載の、ワイドノズルを具備したチューブ容器。
【請求項３】
前記内キャップの回転ガイド溝の上部には、前記外キャップの前記結合突起が前記回転ガイド溝と結合した状態で、上方向へ移動して回転ガイド溝から離脱することを防止するための係止部が形成される
ことを特徴とする、請求項２に記載の、ワイドノズルを具備したチューブ容器。
【請求項４】
前記内キャップの回転ガイド溝の下部には、前記外キャップと前記チューブネックとの螺合により、前記外キャップが下降する過程で、前記内キャップが連動して下降するように前記結合突起によって加圧される停止部が形成される
ことを特徴とする、請求項２に記載の、ワイドノズルを具備したチューブ容器。
【請求項５】
前記外キャップと前記チューブネックの螺合を解除する時には、螺合解除時の外キャップの上昇過程で、前記結合突起が前記内キャップの前記係止部の下端を加圧し、前記内キャップが連動して上昇することによって、前記内キャップの前記開閉突起が前記ワイドノズルから離間され、前記ワイドノズルの開栓が行われる
ことを特徴とする、請求項３に記載の、ワイドノズルを具備したチューブ容器。
【発明の詳細な説明】
【技術分野】
【０００１】
本発明は、ワイドノズルを具備したチューブ容器に関し、より詳細には、内キャップに対して外キャップを回転可能に結合し、外キャップをチューブネックに螺合させる過程で、内キャップが、外キャップによって加圧され下降することにより、内キャップの開閉突起を介したワイドノズルの閉栓が行われるように構成することで、外キャップの螺合または螺合解除過程で自然にワイドノズルの開閉が行われ、ユーザーに利便性を提供することができる、ワイドノズルを具備したチューブ容器に関する。
【背景技術】
【０００２】
一般的に、チューブ容器は、内容物を貯蔵するチューブ本体と、前記チューブ本体の上部に結合され、チューブ本体に支持され、内容物吐出ホールを有するチューブネックと、前記チューブネックに着脱可能に結合され、内容物吐出ホールを開閉するオーバーキャップと、で構成される。
【０００３】
前記のようなチューブ容器は、チューブ本体を加圧する時、チューブ本体の内部圧力が変化し、内容物吐出ホールを通って内容物の吐出が行われるが、内容物吐出ホールが千編一律に小さな円形状に形成され、広い範囲に内容物を一度に塗布することが困難であり、歯磨き、リップグロス、アイクリーム容器のように広い部位に容物を塗布する場合は、容器を移動して内容物を吐出させなければならないので、使用者に不便をもたらすという問題があった。
【０００４】
上記した問題点を解決するための「内容物を広く塗布することができるチューブ容器蓋」が大韓民国登録実用新案第２０−０４３８５０６号公報（以下、「特許文献１」とする）に開示されている。
【０００５】
特許文献１は、チューブ容器にチューブ容器蓋が結合され、チューブ容器蓋のカバー体を開閉し、チューブ容器の内容物を少しずつ排出して使用できるようにしたチューブ容器において、
チューブ容器蓋１０を蓋本体２０とカバー体３０とで構成し、前記蓋本体２０とカバー体３０とをヒンジ結合し、前記蓋本体２０の上部には、横幅が広く縦幅が狭い内容物排出口２２を突出して設け、前記内容物排出口２２にジグザグ模様の内容物排出ホール２４を形成し、前記内容物排出口２２の横幅と縦幅の比率は３：１〜４：１とし、高さは縦幅の１〜２倍にし、前記蓋本体２０の側面には、締結溝２６を形成し、前記カバー体３０の側面には、前記蓋本体２０の締結溝２６に締結する締結口３６が形成され、前記カバー体３０の内側中央には前記蓋本体２０の内容物排出口２２を覆って内容物の排出を遮断する遮断口３２が形成されることが特徴である。
【０００６】
特許文献１は、内容物排出口２２の横幅と縦幅の比率が３：１〜４：１で、広い患部にチューブ容器内の内容物を薄く広く排出した後、伸ばして塗ることが容易にできるように構成されるが、チューブ容器蓋１０を構成する、蓋本体２０とカバー体３０がヒンジ結合されるチューブ容器蓋１０にのみ適用できるだけであり、オーバーキャップがチューブネックに螺合式で着脱されるチューブ容器には適用できないという問題があった。
【先行技術文献】
【特許文献】
【０００７】
【特許文献１】大韓民国登録実用新案第２０―０４３８５０６号公報
【発明の概要】
【発明が解決しようとする課題】
【０００８】
本発明は、上述した問題点を解決するために創作されたもので、本発明の目的は、内キャップに対して外キャップが回転可能に結合され、外キャップをチューブネックに螺合する過程で、内キャップが、外キャップによって加圧され下降することにより、内キャップの開閉突起によってワイドノズルの閉栓が行われるように構成されることで、外キャップの螺合または、螺合解除過程で自然にワイドノズルの開閉が行われる、ワイドノズルを具備したチューブ容器を提供する。
【課題を解決するための手段】
【０００９】
前記のような問題点を解決するために、本発明に係る、ワイドノズルを具備したチューブ容器は、
内容物を貯蔵するチューブ本体と、
前記チューブ本体の上部に結合され、チューブ本体に支持され、外周面に第１ねじ山が形成され、横幅の長さが縦幅の長さよりも長く形成されたワイドノズルを具備するチューブネックと、
前記チューブネックに着脱可能に螺合するように、内周面に第２ねじ山が形成された外キャップと、
前記外キャップの内側に結合し、前記外キャップの脱着により、前記ワイドノズルを開閉するように、内部上側に開閉突起を具備した内キャップと、を含み、
前記外キャップは、前記内キャップに対して回転可能に結合され、前記外キャップを前記チューブネックに螺合させる過程で、内キャップが、外キャップの下降によって加圧されて下降することにより、内キャップの開閉突起によってワイドノズルの閉栓が行われることを特徴とする。
【００１０】
また、前記内キャップの外周面には、前記外キャップの独立した回転をガイドするように回転ガイド溝が形成され、前記外キャップの内周面には、前記回転ガイド溝に結合する結合突起を具備することを特徴とする。
【００１１】
また、前記内キャップの回転ガイド溝の上部には、前記外キャップの前記結合突起が前記回転ガイド溝に結合された状態で、上方へ移動して回転ガイド溝から離脱することを防止するように係止部が形成されることを特徴とする。
【００１２】
また、前記内キャップの前記回転ガイド溝の下部には、前記外キャップと前記チューブネックの螺合により、前記外キャップが下降する過程で前記内キャップが連動して下降するように、前記結合突起によって加圧される停止部が形成されることを特徴とする。
【００１３】
また、前記外キャップと前記チューブネックの螺合を解除する時には、螺合解除による外キャップの上昇過程で、前記結合突起が前記内キャップの係止部下端を加圧し、前記内キャップが連動して上昇することによって、前記内キャップの前記開閉突起が前記ワイドノズルから離間され、前記ワイドノズルの開栓が行われることを特徴とする。
【発明の効果】
【００１４】
以上のように、本発明によれば、内キャップに対して外キャップが回転可能に結合され、前記外キャップを前記チューブネックに螺合させる過程で、前記内キャップが、前記外キャップによって加圧され下降することによって、内キャップの開閉突起によるワイドノズルの閉栓が行われるように構成することで、外キャップの螺合または、螺合解除過程で自然にワイドノズルの開閉が行われるので、使用者に利便性を提供することができるという長所がある。
【図面の簡単な説明】
【００１５】
【図１】本発明の好ましい実施例に係る、ワイドノズルを具備したチューブ容器の構成を示す分解斜視図である。
【図２】本発明の好ましい実施例に係る、ワイドノズルを具備したチューブ容器の構成を示す組立斜視図である。
【図３】本発明の好ましい実施例に係る、ワイドノズルを具備したチューブ容器の構成を示す組立断面図である。
【図４】本発明の好ましい実施例に係る、ワイドノズルを具備したチューブ容器の動作を示す説明図である。
【図５】本発明の好ましい実施例に係る、ワイドノズルを具備したチューブ容器の動作を示す説明図である。
【図６】本発明の好ましい実施例に係る、ワイドノズルを具備したチューブ容器の動作を示す説明図である。
【発明を実施するための形態】
【００１６】
以下、図面を参照して本発明を詳細に説明する。各図面に提示された同一の参照符号は、同一の部材を示す。
【００１７】
図１は、本発明の好ましい実施例に係る、ワイドノズルを具備したチューブ容器の構成を示す分解斜視図であり、図２は、本発明の好ましい実施例に係る、ワイドノズルを具備したチューブ容器の構成を示す組立斜視図であり、図３は、本発明の好ましい実施例に係る、ワイドノズルを具備したチューブ容器の構成を示す組立断面図である。
【００１８】
図１〜３を参照すると、本発明の好ましい実施例に係る、ワイドノズルを具備したチューブ容器は、チューブ本体１００、チューブネック２００、外キャップ３００、及び、内キャップ４００を含む。
【００１９】
チューブ本体１００は、内容物を貯蔵するもので、使用者が加圧することによって変形し、その内部の圧力によって内容物を吐出するように軟質のチューブ材で構成される。
【００２０】
チューブネック２００は、チューブ本体１００の上部に結合され、チューブ本体１００に支持され、外キャップ３００と螺合できるように、外周面に第１ネジ山２１０が形成される。
【００２１】
チューブネック２００は、チューブ本体１００に貯蔵された内容物を外部に吐出するためのノズル２２０を具備し、本発明において、ノズル２２０は、横幅の長さが縦幅の長さより長いワイドノズル２２０で構成されることが特徴で、ワイドノズル２２０を介して内容物を広く薄く吐出させることができる。
【００２２】
一般的に歯磨き、リップグロス、アイクリームなどは、広い部位に内容物を塗布しなければならないが、前記のようにワイドノズル２２０を構成することにより、広い部位に内容物を一度に吐出して簡単に塗布することができる。
【００２３】
ワイドノズル２２０の大きさは、横幅の長さが縦幅の長さより長く形成される条件の範囲内で、内容物の塗布範囲または１回の吐出量によって適切に決定することができる。
【００２４】
外キャップ３００は、チューブネック２００に着脱可能に螺合されるもので、チューブネック２００の第１ねじ山２１０と螺合することができるように、内周面に第２ねじ山３１０が形成される。
【００２５】
本発明において、外キャップ３００の内側には、第２ネジ山３１０の上部に位置し、内キャップ４００の回転ガイド溝４２０に結合する結合突起３２０が具備されることが特徴で、結合突起３２０と回転ガイド溝４２０のアンダーカット結合によって、外キャップ３００が内キャップ４００に対して回転可能に結合され、外キャップ３００をチューブネック２００と螺合させる過程で、外キャップ３００が下降することにより、外キャップ３００の結合突起３２０が内キャップ４００の停止部４４０を加圧し、内キャップ４００が連動して下降する。これにより、内キャップ４００の開閉突起４１０によるワイドノズル２２０の閉栓が行われる。
【００２６】
また、外キャップ３００とチューブネック２００の螺合を解除する時には、螺合解除時の外キャップ３００の上昇過程で、結合突起３２０が内キャップ４００の係止部４３０の下端を加圧し、内キャップ４００が連動して上昇することによって、内キャップ４００の開閉突起４１０がワイドノズル２００から離間し、ワイドノズル２００の開栓が行われる。
【００２７】
内キャップ４００は、外キャップ３００の内側に結合され、外キャップ３００の脱着により、ワイドノズル２２０を開閉するように、その内部上側に開閉突起４１０を具備し、開閉突起４１０は、ワイドノズル２２０に対応する形状及び大きさで形成され、好ましくは、ワイドノズル２２０に挿入し易いように、上部へ行くほど広くなる構造で形成されることが望ましい。
【００２８】
本発明において、内キャップ４００の外周面には、外キャップ３００の独立した回転をガイドするための回転ガイド溝４２０が形成されることが特徴で、回転ガイド溝４２０に外キャップ３００の結合突起３２０が結合され、内キャップ４００に対して外キャップ３００の回転が行われ、回転ガイド溝４２０の上部には、外キャップ３００の結合突起３２０が回転ガイド溝４２０に結合した状態で上方向へ移動して、回転ガイド溝４２０から離脱することを防止するための係止部４３０が形成される。
【００２９】
係止部４３０は、外キャップ３００とチューブネック２００の螺合を解除するために外キャップ３００が上昇する時、結合突起３２０によって加圧され、内キャップ４００が連動して上昇することを可能とする。
【００３０】
一方、内キャップ４００の回転ガイド溝４２０の下部には、外キャップ３００とチューブネック２００の螺合により、外キャップ３００が下降する過程で内キャップ４００が連動して下降することができるように、結合突起３２０によって加圧される停止部４４０が形成される。
【００３１】
以下では、図４〜６を参照し、本発明の好ましい実施例に係る、ワイドノズルを具備したチューブ容器の動作を説明する。
【００３２】
まず、図４に示すように、チューブネック２００の上部に外キャップ３００を置いた状態で、外キャップ３００をチューブネック２００に定置させた後、図５に示すように、外キャップ３００を所定の方向へ回転すると、内キャップ４００が固定された状態で、外キャップ３００が独立して回転することにより、チューブネック２００の第１ねじ山２１０と外キャップ３００の第２ねじ山３１０とが螺合し、外キャップ３００が下降する。次に、外キャップ３００の結合突起３２０が内キャップ４００の停止部４４０を加圧し、内キャップ４００が連動して下降する。これにより、内キャップ４００の開閉突起４１０がワイドノズル２２０を閉栓する。
【００３３】
一方、外キャップ３００とチューブネック２００の螺合を解除する時には、螺合解除時の外キャップ３００の上昇過程で、結合突起３２０が内キャップ４００の係止部４３０の下端を加圧し、内キャップ４００が連動して上昇することによって内キャップ４００の開閉突起４１０がワイドノズル２００から離間し、ワイドノズル２００の開栓が行われる。
【００３４】
上記のように、ワイドノズル２００が開栓されると、図６に示すように、チューブ本体１００を加圧し、ワイドノズル２００から内容物を広く薄く吐出することができる。
【００３５】
本発明は、横幅の長さが縦幅の長さより長く形成されるワイドノズル２２０において、通常のチューブ容器にオーバーキャップを螺合する場合と同一の使用方法によって、ワイドノズル２２０の閉栓が行われるように構成することで、ユーザーがワイドノズル２２０の閉栓のために開閉突起４１０の方向を意識しなくてもよく、使用者に利便性を提供することができる。
【００３６】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【符号の説明】
【００３７】
１００：チューブ本体
２００：チューブネック
２１０：第１ねじ山
２２０：ノズル
３００：外キャップ
３１０：第２ねじ山
３２０：結合突起
４００：内キャップ
４１０：開閉突起
４２０：回転ガイド溝
４３０：係止部
４４０：停止部
【図１】
2018154405.tif 000003
【図２】
2018154405.tif 000004
【図３】
2018154405.tif 000005
【図４】
2018154405.tif 000006
【図５】
2018154405.tif 000007
【図６】
2018154405.tif 000008